(57)【特許請求の範囲】
【請求項１】
１枚の平板フィルムの使用方法であって、
前記平板フィルムは、円錐台状又は円筒状に丸めて挿入されたとき周方向両端部がオーバーラップするに必要な円弧又は直線寸法を上下縁に持ち、かつ、該凹部空間の深さ寸法と同等以上の高さ寸法を持ち、
前記平板フィルムを、既存の苗木用ポットを挿入するための穴開き状トレイに形成された上方末広がり又は円柱状の凹部空間に、上方末広がりの円錐台状又は円筒状に丸めて挿入し、
上記トレイの凹部空間の底部に生分解性又は非生分解性のシートを挿入することで、上記平板フィルム及びシートにより苗木の養土注入のためのポット空間を形成し、
上記ポット空間に養土を注入し、苗木を栽培し、その後、平板フィルムを剥がして苗木を取り出し、
上記平板フィルムは再使用のために平面状に戻すことを特徴とした平板フィルムの使用方法。
【発明の詳細な説明】
【０００１】
【発明の属する技術分野】
本発明は、平板フィルムを用いた苗木用ポットの形成及び分解方法とその方法に使用される平板フィルムに関する。
【０００２】
【従来の技術】
従来から、植物の苗木は、軟質の樹脂材料により容器状に成形されたビニールポット（以下、ポットという）に養土と共に入れられ、このポットは、樹脂形成されたトレイに複数個形成された穴開き状凹部空間に個々に挿入されて、搬送・販売状態に置かれる。苗木が路地に植えられるとき、養土と共にポットから抜き取られ、ポットは用済みとなる。
【０００３】
【発明が解決しようとする課題】
ところが、この従来の容器状ポットは、用済み後に再使用のために保存するとなると、容器形状に成形されているため、嵩張って収納スペースを多く取る。また、このように再使用に適していないことから廃棄することが多く、その場合はゴミとなる。さらには、トレイの凹部空間の大きさに合わせて、直径及び高さを変えた多数種類のポットが用意される必要がある。また、ポットから苗木を取り出し難いことから、苗木の根を損傷しやすい。また、ポットの底面からの排水が必ずしも良くないために根腐りが発生することがあった。
【０００４】
本発明は、上述した従来の問題を解消するものであり、用済み後に再使用のための保存に収納スペースが少なくて済み、再使用に適しており、少ない種類で多様なトレイに対応可能で、ポットから苗木を取り出し易いために苗木の根を損傷し難く、また、ポット底面からの排水性が良い、平板フィルムを用いた苗木用ポットの形成及び分解方法その方法に使用される平板フィルムを提供することを目的とする。
【０００５】
【課題を解決するための手段】
上記目的を達成するために本発明は、１枚の平板フィルムを用いた苗木用ポットの形成及び分解方法であって、既存の苗木用ポットを挿入するための穴開き状トレイに形成された上方末広がり又は円柱状の凹部空間に、略扇形状又は長方形状の平板フィルムを上方末広がりの円錐台状又は円筒状に丸めて挿入し、前記平板フィルムは、円錐台状又は円筒状に丸めて挿入されたとき周方向両端部がオーバーラップするに必要な円弧又は直線寸法を上下縁に持ち、かつ、該凹部空間の深さ寸法と同等以上の高さ寸法を持ち、上記トレイの凹部空間の底部に生分解性又は非生分解性のシートを挿入することで、上記平板フィルム及びシートにより苗木の養土注入のためのポット空間を形成し、上記平板フィルムは再使用のために回収されたとき平面状に戻すものである。
【０００６】
本発明の構成においては、トレイの凹部空間に平板フィルムを挿入するだけでポットを形成でき、また、成形や溶着することなくポットを形成しているので、ポットから苗木を取り出すときに簡単にポットを剥がせると同時に再使用可能となる。
【０００８】
【発明の実施の形態】
以下、本発明を具体化した実施形態について図面を参照して説明する。図１、図２は本発明に係る平板フィルムを用いた苗木用ポットの構成及び形成方法を示す。図３はポットを剥がしている様子を示す。図４（ａ）（ｂ）は平板フィルムの２つの例を示す。
【０００９】
これらの図において、苗木用ポット形成のための平板フィルム１は、ポリエチレンフィルム等の軟質で、かつ、こしの有る樹脂フィルムから成り、略扇形状（図４ａ）又は長方形状（図４ｂ）に形成されている。この平板フィルム１は、図１に示したように、既存の苗木用ポットを挿入するための穴開き状トレイ２に形成された上方末広がり又は円柱状の凹部空間３（円柱状のものは図示なし）に、上方末広がりの円錐台状又は円筒状に丸めて挿入される。平板フィルム１の上下縁１ａ，１ｂ（図４）は、トレイ２の凹部空間３に挿入されたときに周方向両端部がオーバーラップするに必要な円弧又は直線寸法を持ち、かつ、高さ１ｃ，１ｄ（図４）は凹部空間３の深さ寸法と同等以上の寸法を持つ。なお、本実施例では、トレイ２の凹部空間３の開口直径が約７ｃｍ、底面部直径が約５ｃｍ、高さが約７ｃｍであるとき、平板フィルム１の上縁１ａを約３０ｃｍ、下縁１ｂを約２５ｃｍ、高さ１ｃ，１ｄを約１０ｃｍとした。
【００１０】
そして、図２に示したように、トレイ２の凹部空間３に平板フィルム１を丸めて挿入するだけでポットが形成され、このポットの内底部に、養土４のこぼれ防止のための新聞紙等を含む生分解性シート６（図３）を挿入し、このシート６とフィルム１により形成されたポット空間に苗木の養土４を注入充填し、苗木５を育成する。苗木５をポットから取り出して路地や化粧鉢に移植するときには、フィルム１を図３に示したように剥がす。このとき、成形や溶着することなくポットを形成しているので、簡単にポットを剥がすことができ、そのとき、従来の容器形状のポットに比べて苗木の根を損傷することが低減され、移植後の苗木の生長に良い効果を与える。生分解性シート６を使用している場合は、苗木の生育後、そのまま移植可能である。また、剥がしたフィルム１は平面状に戻して容易に再使用可能となり、収納はコンパクトになる。また、構造上、ポット底面からの排水が良好であるので、根腐の発生が抑えられる。また、平板フィルム１は少ない種類で多様な半径、深さの凹部空間３を持つトレイ２に対応可能となる。
【００１１】
また、トレイ２を地面から浮かせて使用することで、ポットの底面が開放されるため、根が成長するにつれ、根が大気に触れ、それ以上垂直方向に伸びずに底面での根のルーピングの発生が抑えられる。さらには、底面の根から多くの細根が生じる。また、生分解性シート６は、通気、通水性のある物を使用する。移植の期間、シートの厚さ等でシートの分解速度の調整も可能である。なお、ポットの内底面に挿入されるシートが非生分解性のもの（ポリエステル等）を使用した場合は、フィルム１を剥がしても、根の成長で、ポットの形状のまま運搬でき、移栽時にそのシートを除去すればよい。
【００１２】
さらにまた、トレイ２の上方末広がりの凹部空間３に平板フィルム１を挿入セットする場合、平板フィルム１は長方形状（図４ｂ）よりも略扇形状（図４ａ）の方が安定してセットでき、また、取り扱いも容易である利点がある。
【００１３】
なお、本発明は、上記実施形態の構成に限られず、発明の趣旨を逸脱しない範囲で種々の変形が可能であり、例えば、平板フィルム１の形状、大きさは任意の形態を取り得る。
【００１４】
【発明の効果】
以上のように本発明によれば、成形や溶着等をしていない平板状フィルムとトレイの使用により、容易にポットを形成でき、用済み後の保存のための収納スペースが少なくて済み、再使用が簡単に行なえる。また、少ない種類で多様なトレイに対応可能となる。また、ポットから苗木を取り出し易いので、苗木の根を損傷し難いものとなる。また、ポット底面からの排水が良好で、根腐の発生が抑えられる。
【図面の簡単な説明】
【図１】  本発明の実施形態に係る平板フィルムを用いた苗木用ポットの構成及び形成方法を示す斜視図。
【図２】  苗木が生育状態にある苗木用ポットの斜視図。
【図３】  フィルムを剥がしている状態を示す斜視図。
【図４】  （ａ）（ｂ）はそれぞれ平板フィルムの例を示す正面図。
【符号の説明】
１  平板フィルム
１ａ，１ｂ  フィルム１の上下縁
１ｃ，１ｄ  フィルム１の高さ
２  トレイ
３  凹部空間
５  苗木
６  生分解性シート
【図１】
0003676318.tif 000002
【図２】
0003676318.tif 000003
【図３】
0003676318.tif 000004
【図４】
0003676318.tif 000005